(57)【要約】【課題】            ルーバ構造の羽（パネル）は、同一形状のものを離間して並設させているが、羽（パネル）の内側の構造が外部からよく見え好ましくない。又、羽（パネル）を近接させると風通しが悪くなり別の問題が生じる。【解決手段】        ストリンガー（支持部材）（２）に取付金具（３）を介して第１のパネル（４）と第２のパネル（８）とを並設させる。第１のパネル（４）の第１の化粧板（５）は、第２のパネル（８）の第２の化粧板（９）と背丈を異にし、両化粧板（５，９）の両端部を離間して重なり合うように配す。【選択図】          図１
2005068721.tif 000002
【特許請求の範囲】
【請求項１】
ストリンガーの長手方向に対して直交する方向に離間して複数個並設されるパネルを有するルーバ構造において、パネルが第１のパネルと該第１のパネルと隣り合う第２のパネルとからなり、第１のパネルが対の脚部と、該脚部と一体の第１の化粧板とからなり、第２のパネルが対の脚部と、該脚部と一体の第２の化粧板とからなり、第１の化粧板が第２の化粧板より背が高くかつその端部が第２の化粧板の端部と離間して重なるよう配されることを特徴とするルーバ構造。
【請求項２】
第１の化粧板の断面形状がＴ形又はＹ形であり、第２の化粧板が平板形状である請求項１記載のルーバ構造。
【請求項３】
第１のパネルの対の脚部がその先端で連結壁により結合されており、第１の化粧板が該連結壁より延在する請求項２記載のルーバ構造。
【請求項４】
第１と第２のパネルの各脚部がストリンガーにボルト止めした取付金具に係止される請求項３記載のルーバ構造。
【請求項５】
ストリンガーのコーナ部に配された第２のパネルの第２の化粧板が断面Ｌ形であり、前記ストリンガーと略直交するストリンガーの隣接するコーナ部に配される第１のパネルの化粧板が前記断面Ｌ形の第２の化粧板の端部と離間して重なり合う請求項２記載のルーバ構造。
【請求項６】
ストリンガーのコーナ部に配された第２のパネルが一方の脚部と断面Ｌ形の化粧板とを結合する連結部を有する請求項５記載のルーバ構造。
【発明の詳細な説明】
【技術分野】
【０００１】
本発明は、建築物の天井、外壁、外階段外周、屋上塔屋、空調設備周り等に使用されるルーバ構造に関する。
【背景技術】
【０００２】
ルーバ構造は、Ｃチャンネル等の下地材を介して建屋に支持されたストリンガー（支持部材）に複数個のパネルを離間して係止させる基本構造を有す。
実公平６−１７９２６号公報は、ストリンガー（支持部材）に係嵌部を両端に有する係止体を取り付け、この係嵌部にパネルを係合させることを開示する。
【０００３】
特開２００２−５４２８３号公報は、フレームとしてのストリンガー（支持部材）に斜め方向に延在する羽付きのパネル（長尺材）を固定させることを開示する。
これら従来例は、ともに同一形状のパネルを等間隔に並設させたものである。
【０００４】
【特許文献１】実公平６−１７９２６号公報
【特許文献２】特開２００２−５４２８３号公報
【発明の開示】
【発明が解決しようとする課題】
【０００５】
ルーバ構造は、その内側の構造を隠し、しかも、風通しの良いことが要求される。
従来例では、同じ背丈のパネルを近接して配することでパネル内側の構造を見えにくくする、或いは、パネルから斜め方向へと羽を延在させ、パネル間に羽を用いることで出来る限り隠すことが試みられる。
【０００６】
しかし、同一形状のパネルを等間隔に並設したルーバ構造では、各パネルの隙間は避けられず、改善が望まれている。又、この隙間を小さくすると風通しの問題が生じ好ましくない。
【０００７】
それ故に、本発明は、前述した従来技術の不具合を解消させることを解決すべき課題とする。
【課題を解決するための手段】
【０００８】
本発明は、前述した課題を解決するために、断面Ｔ形又はＹ形の化粧板を有する第１のパネルと、断面−形の化粧板を有する第２のパネルとをその背丈を変えて配する手段を用いる。
【０００９】
この手段の採用は、第１と第２のパネルの化粧板を離間して重なり合わせ得るので、パネルの内側の構造を確実に目隠し可能とさせる。
【００１０】
本発明によれば、ストリンガーの長手方向に対して直交する方向に離間して複数個並設されるパネルを有するルーバ構造において、パネルが第１のパネルと該第１のパネルと隣り合う第２のパネルとからなり、第１のパネルが対の脚部と、該脚部と一体の第１の化粧板とからなり、第２のパネルが対の脚部と、該脚部と一体の第２の化粧板とからなり、第１の化粧板が第２の化粧板より背が高くかつその端部が第２の化粧板の端部と離間して重なるよう配されることを特徴とするルーバ構造が提供される。
【発明の効果】
【００１１】
パネルの背丈の違いは外観形状を変化させ、意匠性を高め得る。又、段差のついたパネルの化粧板は風通し効果が優れ、空調設備周りに設置したとき、熱を外に逃がし、冷気を内部に送る作用をなす。
【発明を実施するための最良の形態】
【００１２】
図１を参照する。ルーバ構造１は、ストリンガー即ち支持部材２と、該ストリンガー２に対し取付金具３を介して支持される第１のパネル４と、第２のパネル８を備える。
第１のパネル４は、断面Ｔ形の第１の化粧板５と、断面コの字状にして対向する対の脚部６を有す本体７とからなる。各脚部６の自由端が取付金具３に弾力的に係止される。第１の化粧板５は水平な羽と、羽と直交する片とからなる断面Ｔ形のもので、片が本体７の連結壁の中央に結合される。
【００１３】
第２のパネル８は、断面−形の第２の化粧板９と、第２の化粧板９から下方へ延在する対の離間した脚部１０とからなる。各脚部１０の自由端を取付金具３に弾力的に係止させる。
【００１４】
図１から明らかなように、取付金具３は、ストリンガー（支持部材）２の長手方向に沿って等間隔に複数個配され、第１と第２のパネル４，８がストリンガー２の長手方向とは直交する方向に交互に配される。
【００１５】
第２のパネル８の第２の化粧板９の両端部は、第１のパネル４の第１の化粧板５の水平な羽の両端部と離間して重なり合う。この結果、両パネル４，８の内部構造は完全に隠される。
加えて、矢印ＡとＢによって示される２つの空気通路が第２のパネル８の周りに作られ、通気性は極めて良い。
【００１６】
ストリンガー２の端部の第２のパネル８’には、その化粧板９’を断面Ｌ形とし、その一部を隣り合うストリンガー２’の端部の第１のパネル４の第１の化粧板５の羽の端部の下方へと延在させる。これにより隣り合うストリンガー２，２’の突き合わせ部の構造が外部から見えることはない。第２のパネル８’の一方の脚部と、断面Ｌ形の化粧板とは連結部を介して結合する。
【００１７】
図２に示す例は、第１のパネル４の第１の化粧板５’を断面Ｙ形にしたもので、それ以外の構成は図１に示す構成と同じである。
【００１８】
図３を参照する。ストリンガー（支持部材）は角形中空のアルミニウム合金押出形材よりなり、対のフランジ１１，１２を有す。フランジ１１は複数個の離間した切欠き１３を有し、この切欠き１３にボルト１４（図１参照）を通し、取付金具３のネジ孔１８にボルト１４を螺合させ、取付金具３をストリンガー２に固定する。取付金具３はその内側に段部１５を有し、この段部１５に脚部６，１０の先端を係止させる。
フランジ１２は取付具１６を介してＣチャンネル１７に保持される。
【図面の簡単な説明】
【００１９】
【図１】本発明の一例のルーバ構造の断面図である。
【図２】本発明の他の例のルーバ構造の断面図である。
【図３】ストリンガーと取付金具を示す斜視図である。
【符号の説明】
【００２０】
１    ルーバ構造
２    ストリンガー（支持部材）
３    取付金具
４，８，８’    パネル
５，９，９’    化粧板
６，１０    脚部
１４    ボルト
【図１】
2005068721.tif 000003
【図２】
2005068721.tif 000004
【図３】
2005068721.tif 000005